(57)【要約】【課題】農作業機本体を運搬姿勢にできるスタンド装置を提供する。【解決手段】農作業機１を支持するスタンド装置３であって、前記スタンド装置３は、トラクタの３点リンクヒッチ部に農作業機１を着脱可能な位置と、トラック等で農作業機１を運搬可能な位置とに変更可能な取り付け部２１を有する。【選択図】図１
2010035478.tif 000002
【特許請求の範囲】
【請求項１】
農作業機を支持するスタンド装置であって、前記スタンド装置はトラクタの３点リンクヒッチ部に農作業機を着脱可能な位置と、トラック等で農作業機を運搬可能な位置とに変更可能な取り付け部を有することを特徴とするスタンド装置。
【発明の詳細な説明】
【技術分野】
【０００１】
本発明は、農作業機を支持するスタンド装置に関するものである。
【背景技術】
【０００２】
従来、例えばトラクタの３点リンク部への連結作業を容易にする農作業機用スタンド装置（例えば特許文献１）あるいは、スタンド装置を容易に農作業機に装着する装置（例えば特許文献２）が知られている。
【特許文献１】特開2000-253705
【特許文献２】特開2005-176658
【発明の開示】
【発明が解決しようとする課題】
【０００３】
しかし、上記従来のスタンド装置ではトラック等に製品を積んで運搬する際農作業機の後方が上方に傾くため輸送中の振動が大きく、スタンドが変形する恐れがあった。
【０００４】
本発明は、このような点に鑑みなされたもので、輸送中の振動でスタンドが変形しないスタンド装置を提供することを目的とする。
【課題を解決するための手段】
【０００５】
請求項１のスタンド装置は、農作業機のトラクタからの着脱可能な位置と、農作業機の運搬時の位置とに変更可能な取り付け部を有することを特徴とする。
【発明の効果】
【０００６】
請求項１記載のスタンド装置によれば、農作業機のトラクタからの着脱可能な位置と、農作業機の運搬時の位置とに容易に変更することができるため、運搬時に農作業機がトラックの荷台付近に位置する状態まで下げることができ、振動によりスタンドが変形するのを防止できる。
【発明を実施するための最良の形態】
【０００７】
本発明のスタンド装置の一実施の形態を図面を参照して説明する。
【０００８】
図１において、１はスタンド付農作業機で、このスタンド付農作業機１は、例えば走行車であるトラクタ（図示せず）に連結して使用する農作業機本体２と、この農作業機本体２の不使用時にこの農作業機本体２を支持するスタンド装置３とにて構成されている。
【０００９】
農作業機本体２は、例えばトラクタに連結された状態でトラクタの走行により移動しながら畦塗り作業をするものであり、この農作業機本体２は、図示しないトラクタの後部の昇降可能な３点リンク部（作業機昇降支持装置）に連結された機枠５を備えている。
【００１０】
そして機枠５は、前部に走行車連結部であるトラクタ連結部６を有し、このトラクタ連結部６がトラクタ後部の３点リンク部に連結されている。なお、機枠５のトラクタ連結部６は、トップピン７を先端部に有するトップマスト８と、ロワピン９を先端部に有する左右一対のロワアーム１０とにて構成されている。また、機枠５は、前側中央部に入力軸保持部１１を有し、この入力軸保持部１１に入力軸１２が回転可能に設けられ、この入力軸１２はトラクタの図示しないPTO軸にユニバーサルジョイント等を介して連結されている。
【００１１】
また、機枠５には、入力軸１２側からの動力で回転して畦に土を盛り上げる盛土手段である盛土ロータリー１３およびこの盛土ロータリー１３の後方位置で入力軸１２側からの動力で回転して土を締め固める畦形成手段である畦塗ディスク１４がそれぞれ回転可能に設けられている。なお、盛土ロータリー１３の上方部は土飛散防止用の第1カバー１５にて覆われ、畦塗りディスク１４の上方部は土飛散防止用の第２カバー１６にて覆われている。さらに、機枠５には接地輪１８が設けられ、この接地輪１８はハンドル１９の回動操作により上下位置調節可能となっている。
【００１２】
そして、図１に示す農作業機本体２の姿勢はトラクタ後部の３点リンクから取り外された状態を示し、農作業機本体２は前低後高の姿勢となり、図２に示す農作業機本体２の姿勢は農作業機本体２をトラック等で運搬する状態を示し農作業機本体２は略水平の姿勢となる。
【００１３】
また、機枠５の前部の左右両側には、スタンド装置３の左右一対のホルダ体２１が取り付けられている。
【００１４】
そして、取り付け部２１は、図３ないし図６に示すように、円筒状のパイプで構成されたスタンドホルダ３０と、同じく円筒状のパイプで構成されたホルダ取り付け部３１を有し、角パイプ等で構成されたフレーム部３２の先端には円筒状のパイプで構成された被取り付け部３３を有し、ホルダ取り付け部３１と被取り付け部３３は連結ピン３５にて固定されている。
【００１５】
また、スタンド２０はスタンドホルダ３０の挿通孔３７に挿通され、連結ピン４０で連結固定されている。
【００１６】
そして、図１に示すように農作業機本体２を、３点リンクから取り外した状態にするためには、図５に示すようにホルダ取り付け部第１挿通孔５０と被取り付け部第１挿通孔５１を連結ピン３５にて固定し、図２に示すように農作業機本体２を運搬する状態にするためには図６に示すようにホルダ取り付け部第２挿通孔５２と被取り付け部第２挿通孔５３を連結ピン３５にて固定する。
【００１７】
また、図２に示すように農作業機本体２を運搬する状態にするためには、ホルダ取り付け部第２挿通孔５２と被取り付け部第２挿通孔５３を連結ピン３５にて固定し、ハンドル１９を回動操作して接地輪１８を、地面あるいはトラックの荷台に対して接地するようにしてもよい。
【００１８】
なお、農作業機本体２をトラクタからの着脱可能な状態から運搬する状態にするためには、フォークリフトあるいはトラックのユニック等を使って農作業機本体２を吊り上げておいて、着脱可能な連結ピン３５を引き抜いて、ホルダ取り付け部第１挿通孔５０と被取り付け部第１挿通孔５１を連結ピン３５にて固定し、農作業機本体２を運搬する状態にするためにはホルダ取り付け部第２挿通孔５２と被取り付け部第２挿通孔５３を連結ピン３５にて固定するように連結ピン３５の抜き差しを行う。
【００１９】
また、農作業機本体２をトラクタからの着脱可能な状態から運搬する状態にするためには、ホルダ取り付け部第１挿通孔５０と被取り付け部第１挿通孔５１を連結ピン３５にて固定し、運搬する状態にするためにはホルダ取り付け部第２挿通孔５２と被取り付け部第２挿通孔５３を連結ピン３５にて固定する以外にも、スタンドをほぼ３０°〜４０°回動させ農作業機本体２をほぼ平行な状態に回動させる機構であれば同様の作用効果を奏し得る。
【図面の簡単な説明】
【００２０】
【図１】本発明の一実施の形態のスタンド装置を装着したスタンド付農作業機の３点リンクから取り外した状態の側面図である。
【図２】同上スタンド付農作業機の運搬状態を示す側面図である。
【図３】同上スタンド装置の部分側面図である。
【図４】同上スタンド装置の部分上面図である。
【図５】同上スタンド装置の３点リンクから取り外した状態を示す正面図である。
【図６】同上スタンド装置の運搬する状態を示す正面図である。
【符号の説明】
【００２１】
２    農作業機本体
３    スタンド装置
２０  スタンド    
２１  取り付け部    
３５、４０  連結ピン
５０  ホルダ取り付け部第１挿通孔
５１  被取り付け部第１挿通孔
５２  ホルダ取り付け部第２挿通孔
５３  被取り付け部第２挿通孔
【図１】
2010035478.tif 000003
【図２】
2010035478.tif 000004
【図３】
2010035478.tif 000005
【図４】
2010035478.tif 000006
【図５】
2010035478.tif 000007
【図６】
2010035478.tif 000008